(57)【要約】【課題】  所定の音量を確保しながらも小型化を図る。【解決手段】  音声情報を記録、再生可能な音声情報記録／再生部３０が２枚の支持シート２０ａ，２０ｂ及び表面シート１０ａ，１０ｂ間に挟み込まれてなる音声情報出力シートであって、音声情報記録／再生部３０がシート状に構成され、音声情報を記録するためのＩＣチップ３４と、ＩＣチップ３４に記録された音声情報が出力される音声情報出力部４０とを少なくとも有し、音声情報記録／再生部３０のうち少なくとも音声情報出力部４０が支持シート２０ａ，２０ｂ及び表面シート１０ａ，１０ｂ間に挟み込まれた領域を他の領域に対して折り畳み可能に構成する。【選択図】図１
2005338509.tif 000002
【特許請求の範囲】
【請求項１】
音声情報を記録、再生可能な音声情報記録／再生手段が２枚の表面シート間に組み込まれてなる音声情報出力シートであって、
前記音声情報記録／再生手段は、シート状に構成され、音声情報を記録するための音声情報記録部と、前記音声情報記録部に記録された音声情報が出力される音声情報出力部とを少なくとも有し、
前記音声情報記録／再生手段のうち少なくとも前記音声情報出力部が前記２枚の表面シート間に組み込まれた領域が、他の領域に対して折り線を介して折り畳み可能に構成されている音声情報出力シート。
【請求項２】
請求項１に記載の音声情報出力シートにおいて、
前記音声情報記録／再生手段を表裏から挟み込んで互いに接着された２枚の支持シートを有し、
前記２枚の表面シートは、前記音声情報記録／再生手段を挟み込んで接着された前記２枚の支持シートを挟み込んで該２枚の支持シートと接着され、
前記２枚の支持シートは、前記折り線を介して分割され、前記音声情報記録／再生手段に対向する領域については、その一部の領域のみにて前記音声情報記録／再生手段を表裏から挟み込んでいることを特徴とする音声情報出力シート。
【請求項３】
請求項２に記載の音声情報出力シートにおいて、
前記分割された支持シートは、分割された領域の間隔が、当該音声情報出力シートが折り畳まれた場合に前記２枚の表面シートのうち折り畳み部分にて外側となる表面シート間の距離以上であることを特徴とする音声情報出力シート。
【請求項４】
請求項１乃至３のいずれか１項に記載の音声情報出力シートにおいて、
前記音声情報記録／再生手段は、前記音声情報出力部を複数有し、
それぞれが少なくとも１つの音声情報出力部が組み込まれた複数の領域が、他の領域に対してそれぞれ前記折り線を介して折り畳み可能に構成されていることを特徴とする音声情報出力シート。
【請求項５】
請求項４に記載の音声情報出力シートにおいて、
前記音声情報出力部は、前記複数の領域毎に互いに異なる音声情報を出力することを特徴とする音声情報出力シート。
【発明の詳細な説明】
【技術分野】
【０００１】
本発明は、音声情報を記録、再生可能な音声情報記録／再生手段が組み込まれてなる音声情報出力シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、ダイレクトメールに、音声情報の記録及び再生が可能な音声装置を組み込み、それにより、メッセージを音声によって伝達することができるように構成された情報所持体が考えられている。
【０００６】
図７は、ダイレクトメールに、音声情報の記録及び再生が可能な音声装置が組み込まれてなる情報所持体の一構成例を示す図であり、（ａ）は表面から見た図、（ｂ）は（ａ）に示したＡ−Ａ’断面図である。
【０００７】
本従来例は図７に示すように、宛先情報等が印刷された表示部５０２を有するダイレクトメール本体５０１ａに、音声情報の記録及び再生が可能な音声装置５０３が組み込まれて構成されている。また、この音声装置５０３は、台紙５０３ａ上に、音声情報を記録するためのＩＣメモリ５１２及び電源電池５１１が搭載されたＰＣボード５０７と、ＩＣメモリ５１２に記録された音声情報が出力されるスピーカー５０９と、ＩＣメモリ５１２に記録された音声情報をスピーカー５０９から出力する際に操作するためのスイッチ５０８とが搭載されて構成されており、スイッチ５０８及びスピーカー５０９が露出するような穴を有する被覆体５１３で覆われた状態でダイレクトメール本体５０１ａに貼付されている。
【０００８】
上記のように構成されたダイレクトメール５０１においては、表示部５０２に宛先情報等が印刷されるとともに、音声装置５０３に音声情報が記録され、その後、音声情報が記録された音声装置５０３がダイレクトメール本体５０１ａに貼付され、発送先に送付される。ダイレクトメール５０１の発送先においては、ダイレクトメール５０１が受け取られた後、スイッチ５０８が操作されると、音声装置５０３に記録された音声情報がスピーカー５０９を介して出力されることになる（例えば、特許文献１参照。）。
【特許文献１】特開平１１−７０７７０号公報
【発明の開示】
【発明が解決しようとする課題】
【０００９】
上述したような音声情報を記録及び再生可能な音声情報出力シートにおいては、記録された音声情報を出力するためにスピーカー等の音声情報出力手段を設ける必要があるが、スピーカー等の音声情報出力手段は、所定の音量を確保するためにはある程度の大きさが必要となるため、音声情報出力シート全体の小型化を図ることが難しいという問題点がある。
【００１０】
本発明は、上述したような従来の技術が有する問題点に鑑みてなされたものであって、所定の音量を確保しながらも小型化を図ることができる音声情報出力シートを提供することを目的とする。
【課題を解決するための手段】
【００１１】
上記目的を達成するために本発明は、
音声情報を記録、再生可能な音声情報記録／再生手段が２枚の表面シート間に組み込まれてなる音声情報出力シートであって、
前記音声情報記録／再生手段は、シート状に構成され、音声情報を記録するための音声情報記録部と、前記音声情報記録部に記録された音声情報が出力される音声情報出力部とを少なくとも有し、
前記音声情報記録／再生手段のうち少なくとも前記音声情報出力部が前記２枚の表面シート間に組み込まれた領域が、他の領域に対して折り線を介して折り畳み可能に構成されている。
【００１２】
また、前記音声情報記録／再生手段を表裏から挟み込んで互いに接着された２枚の支持シートを有し、
前記２枚の表面シートは、前記折り線を介して分割され、前記音声情報記録／再生手段を挟み込んで接着された前記２枚の支持シートを挟み込んで該２枚の支持シートと接着され、
前記２枚の支持シートは、前記音声情報記録／再生手段に対向する領域については、その一部の領域のみにて前記音声情報記録／再生手段を表裏から挟み込んでいることを特徴とする。
【００１３】
また、前記分割された支持シートは、分割された領域の間隔が、当該音声情報出力シートが折り畳まれた場合に前記２枚の表面シートのうち折り畳み部分にて外側となる表面シート間の距離以上であることを特徴とする。
【００１４】
また、前記音声情報記録／再生手段は、前記音声情報出力部を複数有し、
それぞれが少なくとも１つの音声情報出力部が組み込まれた複数の領域が、他の領域に対してそれぞれ前記折り線を介して折り畳み可能に構成されていることを特徴とする。
【００１５】
また、前記音声情報出力部は、前記複数の領域毎に互いに異なる音声情報を出力することを特徴とする。
【００１６】
上記のように構成された本発明においては、音声情報記録／再生手段のうち少なくとも音声情報出力部が２枚の表面シート間に組み込まれた領域が他の領域に対して折り線を介して折り畳み可能に構成されているので、音声情報出力部の大きさを小さくしなくても、音声情報出力部が少なくとも組み込まれた領域を他の領域に対して折り畳むことにより小型化が図られることになる。
【発明の効果】
【００１７】
以上説明したように本発明においては、音声情報記録／再生手段のうち少なくとも音声情報出力部が組み込まれた領域が他の領域に対して折り線を介して折り畳み可能に構成され、音声情報出力部が組み込まれた領域を他の領域に対して折り畳むことによって小型化が図られることになるため、音声情報出力部の大きさを小さくする必要がなく、所定の音量を確保しながらも小型化を図ることができる。
【００１８】
また、音声情報記録／再生手段がシート状基材を用いて構成され、かつ、音声情報記録／再生手段を表裏から挟み込んで互いに接着された２枚の支持シートが、折り線を介して分割され、音声情報記録／再生手段に対向する領域については、その一部の領域のみにて音声情報記録／再生手段を表裏から挟み込んでいる構成としたものにおいては、折り畳み可能な構成としながらも、表面の平坦性を向上させることができ、それにより、表面シートへの情報の印刷を容易にすることができる。
【００１９】
また、支持シートの分割された領域の間隔が、音声情報出力シートが折り畳まれた場合に２枚の表面シートのうち折り畳み部分にて外側となる表面シート間の距離以上であるものにおいては、音声情報出力シートが折り線を介して折り畳まれた場合に折り畳まれた情報を維持することができる。
【００２０】
また、音声情報記録／再生手段が、音声情報出力部を複数有し、それぞれが少なくとも１つの音声情報出力部が組み込まれた複数の領域が、他の領域に対してそれぞれ折り線を介して折り畳み可能に構成されているものにおいては、折り畳んだ状態での音声情報出力シートの大きさを大きくすることなく、出力される音声情報の音量を増大させることができる。
【発明を実施するための最良の形態】
【００２１】
以下に、本発明の実施の形態について図面を参照して説明する。
【００２２】
（第１の実施の形態）
図１は、本発明の音声情報出力シートの第１の実施の形態を示す図であり、（ａ）は表面から見た図、（ｂ）は内部構造を示す図、（ｃ）は（ａ）に示したＡ−Ａ’断面図である。また、図２は、図１に示した音声情報出力シート１の積層状態を示す図である。
【００２３】
本形態は図１及び図２に示すように、音声情報を記録、再生可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、紙基材等の柔軟性を有し、かつ薄型の基材からなる２枚の表面シート１０ａ，１０ｂに挟まれ、表面シート１０ａ，１０ｂの折り線１５ａ，１５ｂが設けられた領域を折り線として折り畳み可能となるように構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２４】
また、音声情報記録／再生部３０は、シート状に構成されて記録された音声情報が出力される音声情報出力部４０と、音声情報が記録される音声情報記録部である薄型のＩＣチップ３４及びＩＣチップ３４に記録された音声情報を音声情報出力部４０から出力する際に操作するための薄型のスイッチ３３とが搭載された音声基板３２と、音声基板３２に接続され、音声基板３２に電源を供給するための柔軟性を有してなるペーパー電池３１と、ＩＣチップ３４と音声情報出力部４０とを接続するための配線パターン３７が形成されたポリイミドフィルムからなる連接基板３６とから構成されており、さらに、音声基板３２には、外部からＩＣチップ３４に音声情報を入出力するための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３２が接合されている。なお、連接基板３６においては、ポリイミドフィルムからなるものに限定されず、柔軟性を有するものであれば、その他、ＰＥＴ等の樹脂からなるフィルムを用いて構成することが考えられる。
【００２５】
また、支持シート２０ａにおいては、表面シート１０ａに積層された場合に折り線１５ａと対向する領域を介して２つに分割されており、また、音声情報記録／再生部３０と積層された場合に、ペーパー電池３１、スイッチ３３、ＩＣチップ３４及び音声情報出力部４０と対向する領域に穴２１ａ，２２，２３，２４ａがそれぞれ形成されている。また、支持シート２０ｂにおいては、表面シート１０ｂに積層された場合に折り線１５ｂと対向する領域を介して２つに分割されており、また、音声情報記録／再生部３０と積層された場合に、ペーパー電池３１及び音声情報出力部４０と対向する領域に穴２１ｂ，２４ｂがそれぞれ形成されている。
【００２６】
また、ＩＣチップ３４と音声情報出力部４０とを接続するための連接基板３６は、支持シート２０ａ，２０ｂの分割された領域のそれぞれに挟み込まれるように設けられている。
【００２７】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２８】
図３（ａ）に示すように、支持シート２０ａのペーパー電池３１と対向する領域に形成された穴２１ａはペーパー電池３１よりも小さく、また、スイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００２９】
また、図３（ｂ）に示すように、支持シート２０ｂのペーパー電池３１と対向する領域に形成された穴２１ｂはペーパー電池３１よりも小さく、また、音声情報出力部４０と対向する領域に形成された穴２４ｂは音声情報出力部４０よりも小さくなっている。
【００３０】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００３１】
また、２枚の表面シート１０ａ，１０ｂのうち、支持シート２０ａの穴２２，２３を介してスイッチ３３及びＩＣチップ３４と対向する側の表面シート１０ａにおいては、この音声情報出力シート１を例えば名刺として利用する場合に名刺情報等が印刷される情報表示領域２が設けられているとともに、支持シート２０ａの穴２２を介してスイッチ３３と対向する領域にはスイッチ３３を操作するための再生ボタン３が設けられ、また、支持シート２０ａの穴２４ａを介して音声情報出力部４０と対向する領域には、音声情報出力部４０から出力された音声を外部に出力するための微細な穴が羅列されてなる音声出力領域４が形成されており、音声出力領域４が形成された領域が、他の領域に対して折り線１５ａを介して折り畳み可能に構成されている。このように微細な穴が羅列されてなる音声出力領域４が形成されているため、音声情報出力部４０が表裏を表面シート１０ａ，１０ｂで覆われた状態であっても、音声情報出力部４０から出力される音量の低下を補うことができる。なお、音声出力領域４においては、例えば、レーザ加工によって、０．１ｍｍ径の穴が縦横１．５ｍｍ間隔で形成されている。
【００３２】
以下に、上記のように構成された音声情報出力シート１の使用方法について説明する。
【００３３】
図４は、図１及び図２に示した音声情報出力シート１の使用方法を説明するための図であり、（ａ）は未使用時の状態を示す図、（ｂ）は使用時の状態を示す図である。
【００３４】
図１及び図２に示した音声情報出力シート１の未使用時は、図４（ａ）に示すように、折り線１５ａ，１５ｂを介して音声情報出力シート１を折り畳んでおく。この状態では、音声情報記録／再生部３０のうち、音声情報出力部４０が支持シート２０ａ，２０ｂ及び表面シート１０ａ，１０ｂに挟み込まれた領域が他の領域に対して折り線１５ａ，１５ｂを介して折り畳まれた状態となっており、例えば、この状態における音声情報出力シート１の大きさを名刺サイズとすれば、音声情報出力シート１を折り畳んだ状態で名刺カード入れ等に収納することができ、携帯性を向上させることができる。また、この状態においては、音声情報出力部４０から出力された音声を外部に出力するために表面シート１０ａに設けられた音声出力領域４は外部に表出していない。また、ＩＣチップ３４と音声情報出力部４０とが、支持シート２０ａ，２０ｂの分割された領域のそれぞれに挟み込まれた連接基板３６上に形成された配線パターン３７によって接続されているため、音声情報出力シート１を折り部１５ａ，１５ｂを介して折り畳むことができながらも、ＩＣチップ３４と音声情報出力部４０との間の配線が断線してしまうことを回避することができる。また、支持シート２０ａ，２０ｂの分割された領域の間隔を、音声情報出力シート１を図４（ａ）に示すように折り畳んだ場合に折り畳み部分にて外側となる表面シート１０ｂ間の距離以上、すなわち、音声情報出力シート１の厚さの２倍以上とすれば、折り畳んだ状態を維持することができる。
【００３５】
また、図１及び図２に示した音声情報出力シート１の使用時は、図４（ｂ）に示すように、折り畳まれた音声情報出力シート１を開き、再生ボタン３を押下することにより、音声情報記録／再生部３０のＩＣチップ３４に記録された音声情報を音声情報出力部４０から出力することになる。なお、この状態では、音声情報出力部４０から出力された音声を外部に出力するために表面シート１０ａに設けられた音声出力領域４が外部に表出することになる。また、音声情報出力シート１を、図４（ｂ）に示すように折り線１５ａを介して隣接する領域どうしが所定の角度を有するように開いた状態とすれば、音声情報出力シート１を机上等に置いた状態で音声情報を出力させることができる。
【００３６】
このように、音声情報出力シート１の未使用時は、音声情報出力シート１を折り畳んでおき、音声情報出力シート１の使用時には、音声情報出力シート１を開き音声情報を出力する構成としたため、出力される音声情報の音量を確保しながらも小型化を図ることができる。
【００３７】
なお、本形態においては、音声情報記録／再生部３０のうち、音声情報出力部４０が支持シート２０ａ，２０ｂ及び表面シート１０ａ，１０ｂに挟み込まれた領域のみが他の領域に対して折り畳み可能に構成されているが、音声情報記録／再生部３０のうち、音声情報出力部４０及び音声情報出力部４０以外の部分の一部が挟み込まれた領域が他の領域に対して折り畳み可能となるような構成とすることも考えられる。その場合、音声基板３２を連接基板３６と同様にポリイミドフィルムからなるものとすれば、音声基板３２が折り線１５ａ，１５ｂを跨ぐように表面シート１０ａ，１０ｂ及び支持シート２０ａ，２０ｂに挟み込まれていても、折り線１５ａ，１５ｂを介しての音声情報出力シート１の折り畳み動作に対する耐久性を確保することができる。
【００３８】
また、本形態においては、ＩＣチップ３４に記録された音声情報を音声情報出力部４０から出力する際に押下する再生ボタン３が、音声情報出力シート１が折り線１５ａ，１５ｂを介して折り畳まれた状態でも表出するような位置に設けられているが、表面シート１０ａのうち、音声情報出力シート１が折り線１５ａ，１５ｂを介して折り畳まれた場合に表出しない領域に再生ボタン３を設けておくことも考えられる。その場合、音声情報出力シート１が折り線１５ａ，１５ｂを介して折り畳まれた状態で再生ボタン３が押下されることがなくなり、ペーパー電池３１の不必要な消耗を回避することができる。
【００３９】
また、音声情報出力部４０を、音声情報を入力するためのマイクとしても機能させ、音声情報出力部４０を介してＩＣチップ３４に音声情報を記録することも考えられる。ただし、その場合、音声基板３２に、音声情報出力部４０を介して音声情報を入力するためのスイッチ（不図示）を設ける必要がある。
【００４０】
（第２の実施の形態）
図５は、本発明の音声情報出力シートの第２の実施の形態を示す図であり、（ａ）は表面から見た図、（ｂ）は内部構造を示す図、（ｃ）は（ａ）に示したＡ−Ａ’断面図である。
【００４１】
本形態は図５に示すように、第１の実施の形態にて示したものに対して、音声基板３２に連接基板３６ａ，３６ｂに形成された配線パターン３７ａ,３７ｂを介して２つの音声情報出力部１４０ａ，１４０ｂが接続されており、音声情報出力部１４０ａ，１４０ｂが支持シート１２０ａ，１２０ｂ及び表面シート１１０ａ，１１０ｂに挟み込まれた領域が他の領域に対してそれぞれ折り線１０５ａ，１１５ａを介して折り畳み可能に構成されている点が異なるものである。なお、支持シート１２０ａ，１２０ｂについても、第１の実施の形態に示したものと同様に、表面シート１１０ａに設けられた折り線１０５ａ，１１５ａに対向する領域を介して３つの領域に分割されている。
【００４２】
以下に、上記のように構成された音声情報出力シート１０１の使用方法について説明する。
【００４３】
図６は、図５に示した音声情報出力シート１０１の使用方法を説明するための図であり、（ａ）は未使用時の状態を示す図、（ｂ）は使用時の状態を示す図である。
【００４４】
図５に示した音声情報出力シート１０１の未使用時は、図６（ａ）に示すように、折り線１０５ａ，１０５ｂ，１１５ａ，１１５ｂを介して音声情報出力シート１０１を折り畳んでおく。この状態では、音声情報記録／再生部１３０のうち、音声情報出力部１４０ａ，１４０ｂが支持シート１２０ａ，１２０ｂ及び表面シート１１０ａ，１１０ｂに挟み込まれた領域が他の領域に対して折り線１０５ａ，１０５ｂ，１１５ａ，１１５ｂを介してそれぞれ折り畳まれた状態となっており、例えば、この状態における音声情報出力シート１０１の大きさを名刺サイズとすれば、音声情報出力シート１０１を折り畳んだ状態で名刺カード入れ等に収納することができ、携帯性を向上させることができる。また、この状態においては、音声情報出力部１４０ａ，１４０ｂから出力された音声を外部に出力するために表面シート１１０ａに設けられた音声出力領域１０４ａ，１０４ｂは外部に表出していない。また、この状態においては、ＩＣチップ３４に記録された音声情報を音声情報出力部１４０ａ，１４０ｂから出力する際に押下する再生ボタン３が表出していないため、再生ボタン３が誤って押下されることがなくなり、ペーパー電池３１の不必要な消耗を回避することができる。
【００４５】
また、図５に示した音声情報出力シート１０１の使用時は、図６（ｂ）に示すように、折り畳まれた音声情報出力シート１０１を開き、再生ボタン３を押下することにより、音声情報記録／再生部１３０のＩＣチップ３４に記録された音声情報を音声情報出力部１４０ａ，１４０ｂから出力することになる。なお、この状態では、音声情報出力部１４０ａ，１４０ｂから出力された音声を外部に出力するために表面シート１１０ａに設けられた音声出力領域１０４ａ，１０４ｂが外部に表出することになる。また、音声情報出力シート１０１を、図６（ｂ）に示すように折り線１０５ａ，１１５ａを介して隣接する領域どうしが所定の角度を有するように開いた状態とすれば、音声情報出力シート１０１を机上等に置いた状態で音声情報を出力させることができる。
【００４６】
このように本形態においては、折り線１０５ａ，１０５ｂを介して三つ折り可能な構成としたため、折り畳まれた状態における大きさに対して、音声情報が出力される領域を広く確保することができ、それにより、さらなる大音量を実現することができる。
【００４７】
なお、本形態においても、音声情報記録／再生部１３０のうち、音声情報出力部１４０ａ，１４０ｂ及び音声情報出力部１４０ａ，１４０ｂ以外の部分の一部が挟み込まれた領域が他の領域に対して折り畳み可能となるような構成とすることも考えられる。その場合、音声基板３２をポリイミドフィルムからなるものとすれば、音声基板３２が折り線１０５ａ，１１５ａを跨ぐように表面シート１１０ａ，１１０ｂ及び支持シート１２０ａ，１２０ｂに挟み込まれていても、折り線１０５ａ，１１５ａを介しての音声情報出力シート１０１の折り畳み動作に対する耐久性を確保することができる。
【００４８】
また、２つの音声情報出力部１４０ａ，１４０ｂから出力される音声情報を互いに異なるものとすることも考えられる。それにより、ＩＣチップ３４に記録された情報を、例えば、ステレオ放送のように聞くことができる。
【００４９】
また、本形態においては、２つの音声情報出力部１４０ａ，１４０ｂが設けられているが、音声情報出力部１４０ａ，１４０ｂの数は２つに限らない。その場合、少なくとも１つの音声情報出力部が支持シート１２０ａ，１２０ｂ及び表面シート１１０ａ，１１０ｂに挟み込まれた２つの領域と、他の領域とで三つ折り可能に構成されることになる。例えば、４つの音声情報出力部を設け、２つずつの音声情報出力部が支持シート１２０ａ，１２０ｂ及び表面シート１１０ａ，１１０ｂに挟み込まれた２つの領域と、他の領域とで三つ折り可能に構成する。この場合においても、２つの領域毎に異なる音声情報を出力するように構成することにより、ＩＣチップ３４に記録された情報を、例えば、ステレオ放送のように聞くことができる。
【００５０】
また、本形態のように三つ折り可能に限定せず、例えば、折り線１０５ａ，１１５ａを介して音声出力領域１０４ａ，１０４ｂに隣接する領域、すなわち、音声基板３２が挟みこまれた領域の図面上側や下側に、折り線を介して折り畳み可能な領域を設けることも考えられる。その場合においても、表面シート１１０ａ，１１０ｂに挟み込まれる支持シート１２０ａ，１２０ｂは折り線を介して分割されることが好ましいが、その場合においても、支持シート１２０ａ，１２０ｂの分割された領域の間隔を、音声情報出力シート１０１を折り畳んだ場合に折り畳み部分にて外側となる表面シート１１０ｂ間の距離以上とすれば、折り畳んだ状態を維持することができる。例えば、折り線１０５ａ，１１５ａを介して音声出力領域１０４ａ，１０４ｂに隣接する領域の図面上側及び下側に、折り線を介して折り畳み可能な領域を設け、まず、音声情報出力シート１０１を図６（ａ）に示すように折り畳み、その後、上述した上側及び下側の領域を折り畳む場合、支持シート１２０ａ，１２０ｂの折り線１０５ａ，１１５ａを介して隣接する領域の間隔を音声情報出力シート１０１の厚さの２倍以上とし、また、支持シート１２０ａ，１２０ｂの音声基板３２を挟み込んでいる領域とその上側及び下側となる領域との間隔を音声情報出力シート１０１の厚さの３倍以上とすれば、折り畳んだ状態を維持することができるようになる。
【００５１】
また、上述した２つの実施の形態においては、支持シートが折り線を介して分割された構成となっているが、支持シートを折り曲げ容易な材料から構成し、支持シートを分割しない構成とすることも考えられる。
【図面の簡単な説明】
【００５２】
【図１】本発明の音声情報出力シートの第１の実施の形態を示す図であり、（ａ）は表面から見た図、（ｂ）は内部構造を示す図、（ｃ）は（ａ）に示したＡ−Ａ’断面図である。
【図２】図１に示した音声情報出力シートの積層状態を示す図である。
【図３】図１及び図２に示した支持シートと音声情報記録／再生部とを積層した状態を示す図である。
【図４】図１及び図２に示した音声情報出力シートの使用方法を説明するための図であり、（ａ）は未使用時の状態を示す図、（ｂ）は使用時の状態を示す図である。
【図５】本発明の音声情報出力シートの第２の実施の形態を示す図であり、（ａ）は表面から見た図、（ｂ）は内部構造を示す図、（ｃ）は（ａ）に示したＡ−Ａ’断面図である。
【図６】図５に示した音声情報出力シートの使用方法を説明するための図であり、（ａ）は未使用時の状態を示す図、（ｂ）は使用時の状態を示す図である。
【図７】ダイレクトメールに、音声情報の記録及び再生が可能な音声装置が組み込まれてなる情報所持体の一構成例を示す図であり、（ａ）は表面から見た図、（ｂ）は（ａ）に示したＡ−Ａ’断面図である。
【符号の説明】
【００５３】
１，１０１    音声情報出力シート
２    情報表示領域
３    再生ボタン
４，１０４ａ，１０４ｂ    音声出力領域
１０ａ，１０ｂ，１１０ａ，１１０ｂ    表面シート
１５ａ，１５ｂ，１０５ａ，１０５ｂ，１１５ａ，１１５ｂ    折り線
２０ａ，２０ｂ，１２０ａ，１２０ｂ    支持シート
２１ａ，２１ｂ，２２，２３，２４ａ，２４ｂ    穴
３０，１３０    音声情報記録／再生部
３１    ペーパー電池
３２    音声基板
３３    スイッチ
３４    ＩＣチップ
３５    接続端子
３６，３６ａ，３６ｂ    連接基板
３７，３７ａ，３７ｂ    配線パターン
４０，１４０ａ，１４０ｂ    音声情報出力部
【図１】
2005338509.tif 000003
【図２】
2005338509.tif 000004
【図３】
2005338509.tif 000005
【図４】
2005338509.tif 000006
【図５】
2005338509.tif 000007
【図６】
2005338509.tif 000008
【図７】
2005338509.tif 000009